(57)【要約】  本発明は、物の収納が可能な内部空間を備える収納部と、前記収納部の上部の両側にそれぞれ連結される第１上部紐及び第２上部紐と、前記収納部の下部の両側にそれぞれ連結される第１下部紐及び第２下部紐と、前記第１上部紐を前記第１下部紐に対して旋回可能に結合するように構成され、第１締結部を備える第１結合モジュールと、前記第２上部紐を前記第２下部紐に対して旋回可能に結合するように構成され、前記第１締結部に着脱可能に締結される第２締結部を備える第２結合モジュールとを含む、肩紐可変型鞄、それに使用される肩紐アセンブリ及び旋回連結型デバイスを提供する。
2015527164.tif 000002
【特許請求の範囲】
【請求項１】
物の収納が可能な内部空間を備える収納部と、
前記収納部の上部の両側にそれぞれ連結される第１上部紐及び第２上部紐と、
前記収納部の下部の両側にそれぞれ連結される第１下部紐及び第２下部紐と、
前記第１上部紐を前記第１下部紐に対して旋回可能に結合するように構成され、第１締結部を備える第１結合モジュールと、
前記第２上部紐を前記第２下部紐に対して旋回可能に結合するように構成され、前記第１締結部に着脱可能に締結される第２締結部を備える第２結合モジュールとを含む、肩紐可変型鞄。
【請求項２】
前記第１結合モジュール及び前記第２結合モジュールは、それぞれ、
前記第１上部紐又は前記第２上部紐に連結される上部板と、
前記第１下部紐又は前記第２下部紐に連結される下部板と、
前記上部板から前記下部板に向かう方向に配置され、前記上部板と前記下部板とを旋回可能に連結する連結ピンとを含む、請求項１に記載の肩紐可変型鞄。
【請求項３】
前記連結ピンは、
前記下部板に係止されるように形成される頭部と、
前記頭部から複数に分岐されて延び、前記下部板と前記上部板を貫通して前記上部板に係止されるように形成される脚部とを含む、請求項２に記載の肩紐可変型鞄。
【請求項４】
前記第１締結部は、前記第１結合モジュールの上部板に結合され、その自由端に係止部が形成されるプラグを含み、
前記第２締結部は、前記第２結合モジュールの上部板に結合され、前記プラグの係止部が係止されるレセプタクルを含む、請求項２に記載の肩紐可変型鞄。
【請求項５】
前記第１結合モジュールは、前記プラグの上側に結合されて前記プラグを覆うように形成される第１カバーをさらに含む、請求項４に記載の肩紐可変型鞄。
【請求項６】
前記プラグは、前記連結ピンの両側にそれぞれ配置されるように前記係止部を一対で備え、
前記第１カバーは、前記一対の係止部に対応して前記一対の係止部を露出する一対の切欠部を備える円板を含む、請求項５に記載の肩紐可変型鞄。
【請求項７】
前記第２結合モジュールは、前記レセプタクルの上側に結合されて前記レセプタクルを覆うように形成される第２カバーをさらに含み、
前記第２カバーは、前記一対の係止部に対応する一対の切欠部と、前記一対の切欠部の反対側に前記第１結合モジュールの下部板とプラグの連結部分に対応して形成される第３の切欠部とを備える円板を含む、請求項６に記載の肩紐可変型鞄。
【請求項８】
前記第１締結部と前記第２締結部が締結された状態において、前記第２カバーは、前記第１カバーと前記プラグとの間に配置され、前記第２結合モジュールの上部板及び下部板は、前記第１結合モジュールの上部板とプラグとの間に配置される、請求項７に記載の肩紐可変型鞄。
【請求項９】
前記第１上部紐及び前記第２上部紐のいずれか一方は、
長手方向に延びるバンド部と、
前記バンド部の外縁領域に沿って延設されて前記バンド部の他の部分より突出した紐形状を有する補強部とを含む、請求項１に記載の肩紐可変型鞄。
【請求項１０】
前記第１上部紐及び前記第２上部紐のいずれか一方は、
前記バンド部の内縁領域に切欠として形成されて前記バンド部が曲がるようにする曲げ部をさらに含む、請求項９に記載の肩紐可変型鞄。
【請求項１１】
第１上部紐及び第２上部紐と、
第１下部紐及び第２下部紐と、
前記第１上部紐を前記第１下部紐に対して旋回可能に結合するように構成される第１旋回ユニットと、
前記第２上部紐を前記第２下部紐に対して旋回可能に結合するように構成される第２旋回ユニットと、
前記第１旋回ユニット及び前記第２旋回ユニットに設置され、前記第１旋回ユニットを前記第２旋回ユニットに対して着脱可能に締結するように構成される締結ユニットとを含む、肩紐アセンブリ。
【請求項１２】
前記第１旋回ユニット及び前記第２旋回ユニットは、それぞれ、
前記第１上部紐又は前記第２上部紐に連結される上部板と、
前記第１下部紐又は前記第２下部紐に連結される下部板と、
前記上部板から前記下部板に向かう方向に配置され、前記上部板と前記下部板とを互いに相対旋回可能に連結する連結ピンとを含む、請求項１１に記載の肩紐アセンブリ。
【請求項１３】
前記締結ユニットは、
前記第１旋回ユニットの上部板に結合され、その自由端に係止部が形成されるプラグを備える第１締結部と、
前記第２旋回ユニットの上部板に結合され、前記プラグの係止部が係止されるレセプタクルを備える第２締結部とを含む、請求項１２に記載の肩紐アセンブリ。
【請求項１４】
前記第１締結部と前記第２締結部が締結された状態において、前記第１締結部のプラグと前記第１旋回ユニットの上部板との間には、前記第２旋回ユニットの上部板及び下部板が配置される、請求項１３に記載の肩紐アセンブリ。
【請求項１５】
第１上部紐を第１下部紐に対して旋回可能に連結するように形成される第１旋回ユニット、及び前記第１旋回ユニットに連結される第１締結部を備える第１結合モジュールと、
第２上部紐を第２下部紐に対して旋回可能に連結するように形成される第２旋回ユニット、及び前記第２旋回ユニットに連結されて前記第１締結部に着脱可能に締結される第２締結部を備える第２結合モジュールとを含む、旋回連結型デバイス。
【請求項１６】
前記第１旋回ユニット及び前記第２旋回ユニットは、それぞれ、
前記第１上部紐又は前記第２上部紐に連結されるように形成される上部板と、
前記第１下部紐又は前記第２下部紐に連結されるように形成される下部板と、
前記上部板と前記下部板とを旋回可能に連結する連結ピンとを含む、請求項１５に記載の旋回連結型デバイス。
【請求項１７】
前記第１締結部は、前記第１旋回ユニットの上部板に結合され、その自由端に係止部が形成されるプラグを含み、
前記第２締結部は、前記第２旋回ユニットの上部板に結合され、前記プラグの係止部が係止されるように形成されるレセプタクルを含む、請求項１６に記載の旋回連結型デバイス。
【請求項１８】
前記プラグが前記レセプタクルに締結された状態において、前記第２旋回ユニットは、前記プラグと前記第１旋回ユニットとの間に配置される、請求項１７に記載の旋回連結型デバイス。
【請求項１９】
前記第２結合モジュールの上部板は、上部制限部を含み、
前記第２結合モジュールの下部板は、前記プラグを前記レセプタクルに締結するための状態で前記上部制限部と噛み合って前記第２結合モジュールの上部板との相対旋回を制限する下部制限部を含む、請求項１７に記載の旋回連結型デバイス。
【発明の詳細な説明】
【技術分野】
【０００１】
本発明は、肩紐可変型鞄、それに使用される肩紐アセンブリ及び旋回連結型デバイスに関する。
【背景技術】
【０００２】
一般に、鞄の種類には、手に持つ手提げ鞄、片方の肩に掛ける肩掛け鞄や、両肩に背負う背負い鞄などがある。
【０００３】
背負い鞄については特許文献１などに開示されている。背負い鞄を背負えるようにする構成要素は肩紐である。
【０００４】
具体的には、肩紐は、全体として略リング状を形成し、両端部が鞄に結合されるように構成される。使用者は、肩紐が形成するリング内に腕を通し、肩紐が肩を囲むようにして鞄を背負う。
【先行技術文献】
【特許文献】
【０００５】
【特許文献１】韓国登録実用新案第０３９２０８３号公報
【発明の概要】
【発明が解決しようとする課題】
【０００６】
しかし、このような方式では、使用者が鞄を背負って走った場合に肩紐がずれて鞄がずり落ちるという問題があった。また、鞄が荷物を担ぐ道具としてしか認識されておらず、ファッションアイテム化も困難であった。
【０００７】
本発明の目的は、肩紐を着用者の身体にさらに密着させ、新しいファッションアイテムとして機能させることができる、肩紐可変型鞄、それに使用される肩紐アセンブリ及び旋回連結型デバイスを提供することにある。
【課題を解決するための手段】
【０００８】
上記課題を解決するために、本発明の一実施形態による肩紐可変型鞄は、物の収納が可能な内部空間を備える収納部と、前記収納部の上部の両側にそれぞれ連結される第１上部紐及び第２上部紐と、前記収納部の下部の両側にそれぞれ連結される第１下部紐及び第２下部紐と、前記第１上部紐を前記第１下部紐に対して旋回可能に結合するように構成され、第１締結部を備える第１結合モジュールと、前記第２上部紐を前記第２下部紐に対して旋回可能に結合するように構成され、前記第１締結部に着脱可能に締結される第２締結部を備える第２結合モジュールとを含んでもよい。
【０００９】
ここで、前記第１結合モジュール及び前記第２結合モジュールは、それぞれ、前記第１上部紐又は前記第２上部紐に連結される上部板と、前記第１下部紐又は前記第２下部紐に連結される下部板と、前記上部板から前記下部板に向かう方向に配置され、前記上部板と前記下部板とを旋回可能に連結する連結ピンとを含んでもよい。
【００１０】
ここで、前記連結ピンは、前記下部板に係止されるように形成される頭部と、前記頭部から複数に分岐されて延び、前記下部板と前記上部板を貫通して前記上部板に係止されるように形成される脚部とを含んでもよい。
【００１１】
ここで、前記第１締結部は、前記第１結合モジュールの上部板に結合され、その自由端に係止部が形成されるプラグを含み、前記第２締結部は、前記第２結合モジュールの上部板に結合され、前記プラグの係止部が係止されるレセプタクルを含んでもよい。
【００１２】
ここで、前記第１結合モジュールは、前記プラグの上側に結合されて前記プラグを覆うように形成される第１カバーをさらに含んでもよい。
【００１３】
ここで、前記プラグは、前記連結ピンの両側にそれぞれ配置されるように前記係止部を一対で備え、前記第１カバーは、前記一対の係止部に対応して前記一対の係止部を露出する一対の切欠部を備える円板を含んでもよい。
【００１４】
ここで、前記第２結合モジュールは、前記レセプタクルの上側に結合されて前記レセプタクルを覆うように形成される第２カバーをさらに含み、前記第２カバーは、前記一対の係止部に対応する一対の切欠部と、前記一対の切欠部の反対側に前記第１結合モジュールの下部板とプラグの連結部分に対応して形成される第３の切欠部とを備える円板を含んでもよい。
【００１５】
ここで、前記第１締結部と前記第２締結部が締結された状態において、前記第２カバーは、前記第１カバーと前記プラグとの間に配置され、前記第２結合モジュールの上部板及び下部板は、前記第１結合モジュールの上部板とプラグとの間に配置されるようにしてもよい。
【００１６】
ここで、前記第１上部紐及び前記第２上部紐のいずれか一方は、長手方向に延びるバンド部と、前記バンド部の外縁領域に沿って延設されて前記バンド部の他の部分より突出した紐形状を有する補強部とを含んでもよい。
【００１７】
ここで、前記第１上部紐及び前記第２上部紐のいずれか一方は、前記バンド部の内縁領域に切欠として形成されて前記バンド部が曲がるようにする曲げ部をさらに含んでもよい。
【００１８】
本発明の他の実施形態による肩紐アセンブリは、第１上部紐及び第２上部紐と、第１下部紐及び第２下部紐と、前記第１上部紐を前記第１下部紐に対して旋回可能に結合するように構成される第１旋回ユニットと、前記第２上部紐を前記第２下部紐に対して旋回可能に結合するように構成される第２旋回ユニットと、前記第１旋回ユニット及び前記第２旋回ユニットに設置され、前記第１旋回ユニットを前記第２旋回ユニットに対して着脱可能に締結するように構成される締結ユニットとを含んでもよい。
【００１９】
ここで、前記第１旋回ユニット及び前記第２旋回ユニットは、それぞれ、前記第１上部紐又は前記第２上部紐に連結される上部板と、前記第１下部紐又は前記第２下部紐に連結される下部板と、前記上部板から前記下部板に向かう方向に配置され、前記上部板と前記下部板とを互いに相対旋回可能に連結する連結ピンとを含んでもよい。
【００２０】
ここで、前記締結ユニットは、前記第１旋回ユニットの上部板に結合され、その自由端に係止部が形成されるプラグを備える第１締結部と、前記第２旋回ユニットの上部板に結合され、前記プラグの係止部が係止されるレセプタクルを備える第２締結部とを含んでもよい。
【００２１】
ここで、前記第１締結部と前記第２締結部が締結された状態において、前記第１締結部のプラグと前記第１旋回ユニットの上部板との間には、前記第２旋回ユニットの上部板及び下部板が配置されるようにしてもよい。
【００２２】
本発明のさらに他の実施形態による旋回連結型デバイスは、第１上部紐を第１下部紐に対して旋回可能に連結するように形成される第１旋回ユニット、及び前記第１旋回ユニットに連結される第１締結部を備える第１結合モジュールと、第２上部紐を第２下部紐に対して旋回可能に連結するように形成される第２旋回ユニット、及び前記第２旋回ユニットに連結されて前記第１締結部に着脱可能に締結される第２締結部を備える第２結合モジュールとを含んでもよい。
【００２３】
ここで、前記第１旋回ユニット及び前記第２旋回ユニットは、それぞれ、前記第１上部紐又は前記第２上部紐に連結されるように形成される上部板と、前記第１下部紐又は前記第２下部紐に連結されるように形成される下部板と、前記上部板と前記下部板とを旋回可能に連結する連結ピンとを含んでもよい。
【００２４】
ここで、前記第１締結部は、前記第１旋回ユニットの上部板に結合され、その自由端に係止部が形成されるプラグを含み、前記第２締結部は、前記第２旋回ユニットの上部板に結合され、前記プラグの係止部が係止されるように形成されるレセプタクルを含んでもよい。
【００２５】
ここで、前記プラグが前記レセプタクルに締結された状態において、前記第２旋回ユニットは、前記プラグと前記第１旋回ユニットとの間に配置されるようにしてもよい。
【００２６】
ここで、前記第２結合モジュールの上部板は、上部制限部を含み、前記第２結合モジュールの下部板は、前記プラグを前記レセプタクルに締結するための状態で前記上部制限部と噛み合って前記第２結合モジュールの上部板との相対旋回を制限する下部制限部を含んでもよい。
【発明の効果】
【００２７】
上記のように構成される本発明による肩紐可変型鞄、それに使用される肩紐アセンブリ及び旋回連結型デバイスによれば、肩紐が着用者の身体にさらに密着し、前記肩紐及び前記肩紐が設置された鞄がファッションアイテムとして機能できるようになる。
【図面の簡単な説明】
【００２８】
【図１】本発明の一実施形態による肩紐可変型鞄を着用した状態を示す図である。
【図２】図１の第１結合モジュールの分解斜視図である。
【図３】図１の第２結合モジュールの分解斜視図である。
【図４】図１の第１結合モジュールと第２結合モジュールの結合状態を示す斜視図である。
【図５】図４のＶ−Ｖ線断面図である。
【発明を実施するための形態】
【００２９】
以下、本発明の好ましい実施形態による肩紐可変型鞄、それに使用される肩紐アセンブリ及び旋回連結型デバイスについて添付図面を参照して詳細に説明する。本明細書においては、異なる実施形態であっても同一又は類似の構成要素には同一又は類似の符号を付し、その説明は最初の説明を援用する。
【００３０】
図１は本発明の一実施形態による肩紐可変型鞄を着用した状態を示す図である。
【００３１】
図１に示すように、本発明の一実施形態による肩紐可変型鞄１００は、収納部１１０と、上部紐１３１、１５１と、下部紐１３６、１５６と、第１結合モジュール２００と、第２結合モジュール３００とを含んでもよい。
【００３２】
収納部１１０は、物の収納が可能な内部空間を備える構成である。収納部１１０は、略六面体などの形状を有し、着用者の背中に接触するように配置される。
【００３３】
上部紐１３１、１５１は、収納部１１０の上部の両側に連結され、下部紐１３６、１５６と共に肩紐アセンブリの一部を構成する。具体的には、上部紐１３１、１５１は、着用者の右肩に対応する第１上部紐１３１と、着用者の左肩に対応する第２上部紐１５１とからなる。
【００３４】
上部紐１３１、１５１については、便宜上、第２上部紐１５１を挙げて説明する。第２上部紐１５１は、バンド部１５２と、補強部１５３と、曲げ部１５５とを含んでもよい。バンド部１５２は、略長方形の断面形状を有して長手方向に延びる胴部であってもよい。バンド部１５２は、布で作製され、内部にクッション用物質を備えるようにしてもよい。補強部１５３は、着用者を基準としてバンド部１５２の外側に突出して前記長手方向に延設されたものである。補強部１５３は、バンド部１５２の他の部分に比べて突出した紐のような形状を有するようにしてもよい。曲げ部１５５は、バンド部１５２の内縁領域に形成され、バンド部１５２が曲がるようにする部分である。このために、曲げ部１５５は、略三角形状に切り欠いた部分であってもよい。
【００３５】
下部紐１３６、１５６は、収納部１１０の下部の両側に連結され、上部紐１３１、１５１と共に前記肩紐アセンブリの一部を構成する。具体的には、下部紐１３６、１５６は、着用者の右脇腹に対応する第１下部紐１３６と、着用者の左脇腹に対応する第２下部紐１５６とからなる。
【００３６】
第１結合モジュール２００は、第１上部紐１３１と第１下部紐１３６とを互いに対して旋回可能に結合する構成である。第１結合モジュール２００に対応して、第２結合モジュール３００は、第２上部紐１５１と第２下部紐１５６とを互いに対して旋回可能に結合する構成である。
【００３７】
前述した上部紐１３１、１５１、下部紐１３６、１５６、第１結合モジュール２００及び第２結合モジュール３００を前記肩紐アセンブリという。前記肩紐アセンブリは、鞄１００のうち、着用者の肩から胸と腹を経て脇腹までに対応して延びる部分である。前記肩紐アセンブリを可変にする（一部分を他の部分に対して相対旋回可能にする）第１結合モジュール２００及び第２結合モジュール３００を旋回連結型デバイスという。
【００３８】
このような構成によれば、前記肩紐アセンブリは、図１の（ａ）に示すように、全体として平行に「１１」字状となるようにすることができる（第１モード）。これは、通常の鞄１００の背負い方である。
【００３９】
前記肩紐アセンブリは、図１の（ｂ）に示すように、全体として「Ｘ」字状となるようにすることができる（第２モード）。このために、第１結合モジュール２００と第２結合モジュール３００が結合される。そうすると、第１上部紐１３１と第２下部紐１５６がほぼ１つのライン（第１ライン）をなすように配列され、第２上部紐１５１と第１下部紐１３６がほぼ１つのライン（第２ライン）をなすように配列される。つまり、第１ラインと第２ラインが全体として「Ｘ」字状をなす。
【００４０】
ここで、第１結合モジュール２００と第２結合モジュール３００とは、並列に（水平に）配列されるのではなく、着用者の腹（あるいは胸）に垂直な方向に積層されて配列される。それにより、前記肩紐アセンブリがより完全な「Ｘ」字状をなすことになる。
【００４１】
以上のように、鞄１００は前記第１モードと前記第２モードとに切り替え可能である。よって、着用者は、平常時は前記第１モードで鞄１００を背負い、走らなければならない場合や鞄１００が重い場合は前記第２モードに切り替えて鞄１００を背負うことができる。前記第２モードによれば、鞄１００が着用者にさらに密着し、着用者をさらに楽にすることができる。このとき、補強部１５３は、バンド部１５２の外側に集中する荷重によりバンド部１５２が着用者の肩からずれないようにする。また、曲げ部１５５は、バンド部１５２の内側が着用者の肩から離隔せず、曲げ部１５５自体でのみ曲がるようにする。
【００４２】
第１結合モジュール２００及び第２結合モジュール３００は、前記第１モードと前記第２モードのいずれのモードでも、従来の単純な肩紐にはない新しいファッションポイントとなる。第１結合モジュール２００及び第２結合モジュール３００の素材を上部紐１３１、１５１及び下部紐１３６、１５６とは異なる素材にすることができ、また、第１結合モジュール２００及び第２結合モジュール３００にさらなる装飾を取り付けることができるという点で、鞄１００はファッション感覚を取り入れたものである。
【００４３】
以下、図２及び図３を参照して、第１結合モジュール２００及び第２結合モジュール３００について具体的に説明する。
【００４４】
図２は図１の第１結合モジュールの分解斜視図である。
【００４５】
図２に示すように、第１結合モジュール２００は、上部板２１０と、第１締結部２２０と、下部板２３０と、連結ピン２５０と、第１カバー２７０とを含んでもよい。ここで、上部板２１０、下部板２３０及び連結ピン２５０を全体として第１旋回ユニットという。
【００４６】
上部板２１０は、中央に形成される貫通孔２１１と、縁部に形成される上部連結部２１３とを備える。貫通孔２１１は、連結ピン２５０が挿入されるように形成され、上部連結部２１３は、第１上部紐１３１に連結されるように形成される。
【００４７】
第１締結部２２０は、上部板２１０の上面（下部板２３０に対向する面の反対面）に形成される。第１締結部２２０は、プラグの形態を有するようにしてもよい。具体的には、前記プラグは、貫通孔２１１を挟んで２つに分岐されて延びるようにしてもよい。前記プラグの２つに分岐された部分は上部板２１０から離隔して配置され、前記プラグの自由端には係止部２２１が形成されるようにしてもよい。係止部２２１は、前記プラグの他の部分より前記プラグの側方に突出した部分である。
【００４８】
下部板２３０は、中央に形成される貫通孔２３１と、縁部に形成される下部連結部２３３とを備える。貫通孔２３１は、連結ピン２５０が挿入されるように形成され、下部連結部２３３は、第１下部紐１３６に連結されるように形成される。
【００４９】
連結ピン２５０は、下部板２３０の貫通孔２３１と上部板２１０の貫通孔２１１に挿入され、上部板２１０と下部板２３０とを互いに相対旋回可能に連結する。具体的には、連結ピン２５０は、頭部２５１と、脚部２５３とを含んでもよい。頭部２５１は、下部板２３０に係止されるようにするために、貫通孔２３１より大きい断面積を有する円板状にしてもよい。脚部２５３は、頭部２５１の平面から垂直な方向に複数に分岐されて延びる構成である。脚部２５３は、貫通孔２３１、２１１を通過するために互いに寄せられ、その後再び広がって上部板２１０に係止される。このような連結ピン２５０によれば、上部板２１０と下部板２３０とを相対旋回可能に結合する工程が簡単になる。
【００５０】
第１カバー２７０は、第１締結部２２０を覆うように第１締結部２２０の上側に結合される覆体である。具体的には、第１カバー２７０は、全体として円板状に形成される。ただし、第１カバー２７０において、係止部２２１に対応する２箇所には、切欠部２７１が形成されてもよい。
【００５１】
次に、図３は図１の第２結合モジュールの分解斜視図である。
【００５２】
図３に示すように、第２結合モジュール３００は、第１結合モジュール２００と同様に、上部板３１０と、下部板３３０と、連結ピン３５０と、第２カバー３７０とを含んでもよい。さらに、第２結合モジュール３００は、第１結合モジュール２００の第１締結部２２０に対応する第２締結部３２０を含んでもよい。ここで、第１締結部２２０及び第２締結部３２０を締結ユニットという。また、上部板３１０、下部板３３０及び連結ピン３５０を第２旋回ユニットという。以下、第２結合モジュール３００の構成のうち前述した第１結合モジュール２００の構成に対応する構成については簡単に説明する。
【００５３】
上部板３１０は、貫通孔３１１と、上部連結部３１３とを備える。上部連結部３１３は、第２上部紐１５１に連結されるように形成される。上部板３１０は、その縁領域から突設された上部制限部３１５を備えてもよい。
【００５４】
第２締結部３２０は、第１締結部２２０のプラグに対応するレセプタクルの形態を有するようにしてもよい。前記レセプタクルは、上部板３１０の上側に離隔して配置される２つのブロックを含んでもよい。前記２つのブロックは、貫通孔３１１を中心に対応して配置され、それぞれに係止溝３２１がリセスされて形成されてもよい。第２締結部３２０の係止溝３２１は、第１締結部２２０の係止部２２１（図２参照）を収容するサイズを有するように形成されてもよい。
【００５５】
下部板３３０は、貫通孔３３１と、下部連結部３３３とを備える。下部連結部３３３は、第２下部紐１５６に連結されるように形成される。下部板３３０は、上部板３１０の上部制限部３１５に対応する下部制限部３３５を備えてもよい。下部制限部３３５は、上部板３１０と下部板３３０との相対旋回中に一位置で上部制限部３１５と噛み合うように配置される。
【００５６】
連結ピン３５０は、貫通孔３３１、３１１を介して下部板３３０及び上部板３１０に挿入されるように形成される。それにより、上部板３１０と下部板３３０とが互いに相対旋回可能に連結される。
【００５７】
第２カバー３７０は、第２締結部３２０を覆うように第２締結部３２０の上側に結合される覆体である。第２カバー３７０は、第１カバー２７０と同様に、第１締結部２２０の係止部２２１を露出するように形成される一対の切欠部３７１を含んでもよい。また、第２カバー３７０は、第１締結部２２０と上部板２１０の結合された部分を回避するために、一対の切欠部３７１間に形成される第３の切欠部３７３をさらに含んでもよい。
【００５８】
以下、図４及び図５を参照して、第１結合モジュール２００と第２結合モジュール３００の結合について説明する。
【００５９】
図４は図１の第１結合モジュールと第２結合モジュールの結合状態を示す斜視図であり、図５は図４のＶ−Ｖ線断面図である。
【００６０】
図４及び図５（並びに図１〜図３）を参照すると、図１の（ｂ）の状態では、第１結合モジュール２００と第２結合モジュール３００が図４に示すように結合される。
【００６１】
このような結合のために、第１結合モジュール２００の上部板２１０と下部板２３０とは、ほぼ一直線をなす状態から所定角度だけ相対旋回する。これは、第１旋回ユニットである上部板２１０、下部板２３０及び連結ピン２５０の相互作用による。同様に、第２結合モジュール３００の上部板３１０と下部板３３０とは、ほぼ一直線をなす状態から所定角度だけ相対旋回する。これは、第２旋回ユニットである上部板３１０、下部板３３０及び連結ピン３５０の相互作用による。ここで、上部板３１０と下部板３３０との相対旋回角度は、上部制限部３１５と下部制限部３３５が噛み合う角度によって決定される。前記決定された角度では、第２カバー３７０における第３の切欠部３７３と、上部板３１０における第３の切欠部３７３に対応する切欠部との整列が行われる。前記整列により、第２結合モジュール３００が第１結合モジュール２００に干渉することなく挿入される。
【００６２】
第１結合モジュール２００と第２結合モジュール３００の結合のためには、締結ユニットである第１締結部２２０と第２締結部３２０が締結されなければならない。具体的には、第１締結部２２０の２つのプラグの係止部２２１が、第２締結部３２０、とりわけ２つのブロック間に挿入された後に広がって係止溝３２１に係止される。それにより、第１締結部２２０と第２締結部３２０がほぼ同じ高さに位置することになる。
【００６３】
一方、第２カバー３７０は第１カバー２７０の下方に配置され、第２旋回ユニットは第１締結部２２０と第１旋回ユニットとの間に配置される。それにより、第２結合モジュール３００が第１結合モジュール２００内に挿入された状態となる。
【００６４】
このような構成によれば、第１結合モジュール２００と第２結合モジュール３００とが水平方向に配置されるのではなく垂直方向に積層配置されるので、前記肩紐アセンブリがより「Ｘ」字に近い形態となる。また、第１結合モジュール２００の下部板３３０及び上部板３１０が着用者の腹（あるいは胸）に接触するので、着用者が前記旋回連結型デバイスとして認識する部分が最小限に抑えられる。
【００６５】
前記第２モード（図１の（ｂ）の状態）から前記第１モード（図１の（ａ）の状態）に切り替えるためには、第１締結部２２０の一対の係止部２２１を互いに寄せればよい。そうすると、一対の係止部２２１が第２締結部３２０から外れ、第１結合モジュール２００が第２結合モジュール３００から分離する。その場合、鞄１００は再び第１モードとなる。
【００６６】
本発明による肩紐可変型鞄、それに使用される肩紐アセンブリ及び旋回連結型デバイスは、上記実施形態の構成と作動方式に限定されるものではなく、各実施形態の全部又は一部を選択的に組み合わせて構成することで様々に変形することができる。
【図１】
2015527164.tif 000003
【図２】
2015527164.tif 000004
【図３】
2015527164.tif 000005
【図４】
2015527164.tif 000006
【図５】
2015527164.tif 000007
【国際調査報告】
2015527164.tif 000008
2015527164.tif 000009
2015527164.tif 000010
2015527164.tif 000011